(57)【要約】【課題】荷積みと荷下ろしを安全に行うことができるフレキシブルコンテナバッグを提供する。【解決手段】バッグ本体１と、二組の吊りベルト４，５と、を有するフレキシブルコンテナバッグ。【選択図】図１
2020147309.tif 000002
【特許請求の範囲】
【請求項１】
バッグ本体と、二組の吊りベルトと、を有することを特徴とするフレキシブルコンテナバッグ。
【請求項２】
前記バッグ本体は、筒状の胴部と、前記胴部の一方の開口を塞ぐ底部と、を有し、前記二組の吊りベルトは、前記胴部に固着されていることを特徴とする請求項１に記載のフレキシブルコンテナバッグ。
【請求項３】
前記二組の吊りベルトは、同じ箇所で前記胴部に固着されていることを特徴とする請求項２に記載のフレキシブルコンテナバッグ。
【請求項４】
前記二組の吊りベルトは、異なる箇所で前記胴部に固着されていることを特徴とする請求項２に記載のフレキシブルコンテナバッグ。
【請求項５】
前記二組の吊りベルトのうちの少なくとも一組は、２点吊り用の吊りベルトであることを特徴とする請求項１乃至４のいずれか一項に記載のフレキシブルコンテナバッグ。
【請求項６】
前記二組の吊りベルトのうちの少なくとも一組は、４点吊り用の吊りベルトであることを特徴とする請求項１乃至５のいずれか一項に記載のフレキシブルコンテナバッグ。
【請求項７】
前記４点吊り用の吊りベルトは、フック状のベルトであることを特徴とする請求項６に記載のフレキシブルコンテナバッグ。
【請求項８】
クロスシングル形であることを特徴とする請求項１乃至７のいずれか一項に記載のフレキシブルコンテナバッグ。
【発明の詳細な説明】
【技術分野】
【０００１】
本発明は、フレキシブルコンテナバッグに関する。
【背景技術】
【０００２】
従来より、砂、建設資材、廃材等の紛状・粒状物等を輸送する際に、フレキシブルコンテナバッグが使用されている。フレキシブルコンテナバッグには、特許文献１，２に示されるように、玉掛け用の吊りベルトが設けられており、この吊りベルトを使用してフレキシブルコンテナバッグの荷積みおよび荷下ろしを行っている。
【０００３】
日本工業規格  ＪＩＳ  Ｚ  １６５１において、フレキシブルコンテナバッグは、ランニングＩ形、ランニングＪ形、クロススタンダード形、クロスシングル形の四種類に分類される。クロスシングル形（ワンウェイタイプ）のフレキシブルコンテナバッグは、充填を一回しか行わないことを意図して、使い捨てにすることを前提にして設計されており、吊りベルトは可能な限り使用回数を制限することが安全上推奨される。したがって、吊りベルトを荷積みと荷下ろしにのみに限定して使用すればより一層の安全が担保される。
【先行技術文献】
【特許文献】
【０００４】
【特許文献１】特開２０１４−１５９３０５号
【特許文献２】特開２０１８−１４５１２２号
【発明の概要】
【発明が解決しようとする課題】
【０００５】
しかし、実際上はフレキシブルコンテナバッグを保管、仮置きする等の、荷積みと荷下ろしの前後で発生する工程で、吊りベルトを使用した作業を行わざるを得ない。そのため、吊りベルトに過度の負荷がかかる結果として、肝心の荷積みと荷下ろしの場面で吊りベルトが破損する等して事故が起こる危険性がある。
【０００６】
そこで、本発明は、荷積みと荷下ろしを安全に行うことができるフレキシブルコンテナバッグを提供することを目的とする。
【課題を解決するための手段】
【０００７】
本発明のフレキシブルコンテナバッグは、バッグ本体と、二組の吊りベルトと、を有することを特徴とする。
【発明の効果】
【０００８】
本発明のフレキシブルコンテナバッグは、二組の吊りベルトのうちの一組を、荷積みと荷下ろしの前後で発生する工程で使用しなくてよい。そのため、その一組の吊りベルトを、荷積みと荷下ろしで始めて使用することができる。その結果、荷積みと荷下ろしを安全に行うことができる。本発明のフレキシブルコンテナバッグは、特にクロスシングル形のフレキシブルコンテナバッグとして好適に使用することができる。
【図面の簡単な説明】
【０００９】
【図１】第１実施形態のフレキシブルコンテナバッグを示す概略斜視図である。
【図２】図１のフレキシブルコンテナバッグを胴部の上方から見た概略上面図である。
【図３】図１のフレキシブルコンテナバッグの概略底面図である。
【図４】図１のＡ−Ａ’部の概略断面図である。
【図５】第１実施形態の吊りベルトの取り付け状態を示す概略断面図である。
【図６】第２実施形態のフレキシブルコンテナバッグを示す概略斜視図である。
【図７】第３実施形態のフレキシブルコンテナバッグを示す概略斜視図である。
【発明を実施するための形態】
【００１０】
以下、図面を参照して、本発明のフレキシブルコンテナバッグについて、詳細に説明する。本発明のフレキシブルコンテナバッグは、以下に説明する実施形態に限られるものではないが、日本工業規格ＪＩＳ  Ｚ  １６５１に基づいたものであることが好ましい。
【００１１】
＜第１実施形態＞
図１から図５は、第１実施形態のフレキシブルコンテナバッグを示す図であり、図１は概略斜視図、図２は胴部の上方から見た概略上面図、図３は概略底面図、図４は、図１のＡ−Ａ’部の概略断面図、図５は吊りベルトの取り付け状態を示す概略断面図である。図１から図５において、１はバッグ本体、２は胴部、３は底部、４は第一の吊りベルト、５は第二の吊りベルト、６は補強布、７は吊りベルトカバー、８は投入部、９は投入口縛りロープ、１０は投入口である。本実施形態のフレキシブルコンテナバッグは、日本工業規格ＪＩＳ  Ｚ  １６５１に基づいたものである。
【００１２】
図１に示すように、本実施形態のフレキシブルコンテナバッグは、バッグ本体１と、二組の吊りベルト、即ち、第一の吊りベルト４と第二の吊りベルト５とを有し、特にクロスシングル形のフレキシブルコンテナバッグとして好適に使用することができる。
【００１３】
バッグ本体１は、例えばポリプロピレン等の化学繊維の織布からなり、例えば容積が約１０００リットルの袋状であり、砂、建設資材、廃材等の紛状・粒状物等が投入収容される。バッグ本体１は、円筒状の胴部２と、縫合、接着、溶着等の適宜の方法で接合されて胴部２の下方の開口を塞ぐ底部３とを有する。本実施形態において、胴部２は円筒状であるが、本発明はこれに限定されず、例えば、角筒状等であってもよい。
【００１４】
バッグ本体１の上端には、胴部２と同径の円筒状の投入部８が連設されている。投入部８は、例えばポリエチレン等の化学繊維の織布からなり、図４に示すように、投入部８の上端縁は、外側に折り返して、例えば縫合により固着され、ロープ穴を形成している。そして、ロープ穴には、投入口縛りロープ９が挿通されており、投入部８を絞って投入口１０を巾着式に閉じることができる。
【００１５】
第一の吊りベルト４は、同時に２個の吊り具を用いるコンテナバッグの吊り上げ方である２点吊り用の吊りベルトであり、例えばポリプロピレン等の化学繊維の織布からなる。第一の吊りベルト４は、１本のベルトを、図３に示す通り、底部３の中心で交差する様にたすき掛けしてなり、底部３の４カ所で、例えば縫合により固着されている。また、第一の吊りベルト４は、図１、図２に示す通り、胴部２の上端近傍の４カ所で、例えば縫合により補強布６と共に固着されている。第一の吊りベルト４は、コンテナバッグを吊り上げる支点（吊り支点）となる部品又は部位である吊り部と、吊り上げ用部品とが一体となって吊り具を構成している。さらに、第一の吊りベルト４の逆Ｕ字状部分には、吊りベルトカバー７が被着されている。本実施形態では、１本のベルトで第一の吊りベルト４を構成しているが、２点吊り用の吊りベルトであれば、ベルトの本数は問わず、例えば２本、４本等であってもよい。２本、４本のベルトを用いる場合には、各々のベルトを吊り部とし、隣り合うベルトの上端同士を、例えば吊りロープなどの吊り上げ用部品で連結すればよい。また、例えば、底部３に開口を有する場合等には、第一の吊りベルト４を、胴部２のみに固着してもよい。
【００１６】
第二の吊りベルト５は、同時に４個の吊り具を用いるコンテナバッグの吊り上げ方である４点吊り用の吊りベルトであり、例えばポリプロピレン等の化学繊維の織布からなる。第二の吊りベルト５は、一本のベルトを折り返して環を形成する様に固着したフック状のベルトである。第二の吊りベルト５は、図１、図２に示す通り、第一の吊りベルト４の固着箇所と同じ４カ所で、例えば縫合により固着されている。第二の吊りベルト５は、吊り部と、吊り上げ用部品とが一体となって吊り具を構成している。第二の吊りベルト５は、図５（ａ）に示すように、第一の吊りベルト４を折り返して形成してもよいし、図５（ｂ）に示すように、第一の吊りベルト４とは別のベルトを用いて形成してもよい。
【００１７】
本実施形態では、保管、仮置き等の、荷積みと荷下ろしの前後で発生する工程において、第二の吊りベルト５を使用してフレキシブルコンテナバッグを搬送する。例えば、第二の吊りベルト５にフォークリフトのつめを通すことにより、搬送することができる。そのため、荷積みと荷下ろしの前後で発生する工程において、第一の吊りベルト４を使用しなくてよい。その結果、第一の吊りベルト４に過度の負荷がかかることがなく、第一の吊りベルト４を用いた荷積みと荷下ろしを安全に行うことができる。
また、第一の吊りベルト４を、例えば、折り畳んで結束バンドで縛る、逆Ｕ字状部分を胴部２に着脱可能に固定する、吊り上げ用部品を取り外しておく等により、荷積み又は荷下ろしまで使用できない状態としておけば、荷積み又は荷下ろしにおいて、第一の吊りベルト４を始めて使用することを、目視によって確認でき、好ましい。
【００１８】
＜第２実施形態＞
図６は、第２実施形態のフレキシブルコンテナバッグを示す概略斜視図である。本実施形態では、第二の吊りベルト５が、第一の吊りベルト４の固着箇所とは異なる４カ所で、補強布６と共に固着されている。その他の点は、第１実施形態と同様である。本実施形態では、第二の吊りベルト５は、一本のベルトを同じ箇所で固着したフック状の吊りベルトであるが、４点吊り用の吊りベルトであれば特に限定されず、例えば、一本のベルトを異なる箇所で固着した逆Ｕ字状の吊りベルトでもよい。
【００１９】
本実施形態でも、第１実施形態と同様に、荷積みと荷下ろしの前後で発生する工程において、第二の吊りベルト５を使用し、荷積みと荷下ろしにおいて、第一の吊りベルト４を使用する。本実施形態では、第二の吊りベルト５が、第一の吊りベルト４とは異なる箇所で固着されているため、第二の吊りベルト５を使用する際に、第一の吊りベルト４の固着箇所に負荷がかからない。そのため、荷積みと荷下ろしをより安全に行うことができる。
【００２０】
＜第３実施形態＞
図７は、第３実施形態のフレキシブルコンテナバッグを示す概略斜視図である。本実施形態では、第二の吊りベルト５が、２点吊り用の吊りベルトである。また、胴部２の上端から第一の吊りベルト４の逆Ｕ字状部分の頂点までの距離と、胴部２の上端から第二の吊りベルト５の逆Ｕ字状部分の頂点までの距離がほぼ等しく設定されている。その他の点は、第１実施形態と同様である。
【００２１】
本実施形態では、第１実施形態と同様に、荷積みと荷下ろしの前後で発生する工程において、第二の吊りベルト５を使用するが、荷積みと荷下ろしにおいて、第一の吊りベルト４のみではなく第二の吊りベルト５も使用することができる。そのため、吊りベルトが二重になり、荷積みと荷下ろしをより安全に行うことができる。
【符号の説明】
【００２２】
１：バッグ本体、２：胴部、３：底部、４：第一の吊りベルト、５：第二の吊りベルト、６：補強布、７：吊りベルトカバー、８：投入部、９：投入口縛りロープ、１０：投入口
【図１】
2020147309.tif 000003
【図２】
2020147309.tif 000004
【図３】
2020147309.tif 000005
【図４】
2020147309.tif 000006
【図５】
2020147309.tif 000007
【図６】
2020147309.tif 000008
【図７】
2020147309.tif 000009